(57)【特許請求の範囲】
【請求項１】
光源を支持する支持部と、係止部とを有し、前記係止部を被装着板に設けた貫通孔に装着することにより、前記支持部に支持された光源を前記被装着板に取り付ける光源支持装置であって、
前記支持部を透明材にて形成するとともに、前記係止部を有色材にて形成したことを特徴とする光源支持装置。
【請求項２】
光源を支持する支持部と、係止部とを有し、前記係止部を被装着板に設けた貫通孔に装着することにより、前記支持部に支持された光源を前記被装着板に取り付ける光源支持装置であって、
前記光源支持装置を透明に形成するとともに、前記光源から発せられる光が、前記貫通孔を介して前記被装着板の光源側とは相対する側へ透過することを防止する光透過防止手段を設けたことを特徴とする光源支持装置。
【請求項３】
前記光透過防止手段は、前記係止部の光源配置側と相対する側の面に有色の皮膜を施したものであることを特徴とする請求項２記載の光源支持装置。
【請求項４】
前記光透過防止手段は、前記係止部のうち前記光源支持装置を前記被装着板に装着したときに前記被装着板から突出する部分を覆うカバー体からなることを特徴とする請求項２記載の光源支持装置。
【請求項５】
光源を支持する支持部と、係止部とを有する光源支持装置であって、
前記光源支持装置を透明で形成するとともに、前記係止部を被装着板に設けられた貫通孔に装着したときに前記係止部のうち前記被装着板より突出する部分に対して、有色の係止手段を被覆することにより、前記被装着板に装着されることを特徴とする光源支持装置。
【請求項６】
前記係止部は、前記支持部によって支持される光源とは対向する位置に配置されることを特徴とする請求項１から請求項５のいずれか一項に記載の光源支持装置。
【請求項７】
基体と、該基体の一側に設けられた光源を支持する支持部と、前記基体の他側に設けられた被係止部とを備え、かつ透明材料から形成された光源支持装置であって、
被装着板に設けられた貫通孔を介して前記被係止部に係止手段を係止することにより、前記基体を前記被装着板に装着するとともに、前記光源からの光が前記貫通孔を透過するのを防止することを特徴とする光源支持装置。
【請求項８】
前記被係止部は、前記支持部によって支持される光源とは対向した位置に配置されることを特徴とする請求項７に記載の光源支持装置。
【請求項９】
請求項１から請求項８のいずれか一項に記載の光源支持装置において、
前記光源側に前記光源よりも突出する突起を一体に設けたことを特徴とする光源支持装置。
【請求項１０】
請求項１乃至９のいずれか一項に記載の光源支持装置において、前記被装着板は反射板であることを特徴とする光源支持装置。
【請求項１１】
請求項１から請求項９のいずれか一項に記載の光源支持装置と、該光源支持装置の前記支持部にて支持される光源と、前記被装着板として前記光源から発せられる光を反射する反射板とを備えたことを特徴とする照明装置。
【請求項１２】
請求項１から請求項９のいずれか一項に記載の光源支持装置と、該光源支持装置の前記支持部にて支持される光源と、前記被装着板として前記光源から発せられる光を反射する反射板と、前記光源に対して前記反射板の配置された方向とは相対する方向に設けられ光源から発せられた光を拡散させ透過する拡散板と、前記光源支持装置に一体に備えられ前記拡散板に向かって突設された突起と、を備えたことを特徴とする照明装置。
【請求項１３】
請求項１１又は請求項１２に記載された照明装置と、液晶パネルとを有することを特徴とする液晶表示装置。
【発明の詳細な説明】
【０００１】
【発明の属する技術分野】
本発明は、光源を支持する装置に関するものであり、例えば液晶表示装置のバックライト装置として用いられる照明装置に使用されるものである。
【０００２】
【従来の技術】
近年、液晶表示装置にも非常に大型のものが開発されている。このような大型の液晶表示装置には、液晶パネルと並行に蛍光管を配置したバックライトが用いられるようになっている。
【０００３】
大型の液晶表示装置を形成するためには、必然的にバックライトに用いる蛍光管の長さを長くしなければならないが、大型であっても薄さが要求されるため、断面積が小さい小径の蛍光管を光源として使用されるようになってきている。このため、並行に配置された蛍光管を両端で支持するのみでは、蛍光管の支持強度が十分でなく変形や破損が発生するといった問題がおきる。
【０００４】
そこで、蛍光管の支持強度を向上させるため、蛍光管の中間部を支持する光源支持装置が必要となる。この光源支持装置の例としては特開２００１−２１０１２６号公報に記載されたものが挙げられる。この公報に記載されている技術を図１２を用いて説明する。
【０００５】
図１２は上記公報に記載される光源支持装置５０の装着図である。図１２において、光源支持装置５０は、光源５１の円形断面の周囲を保持するための一部に開口を有する欠円状把持形状の支持部５２と、反射板５４に設けられた貫通孔５５を介して光源支持装置５０を反射板５４に支持する係止部５３とを備えたものである。
【０００６】
また、光源支持装置５０は可撓性を有する透明材料から形成されており、これを用いて蛍光管の中間部を支持することにより、蛍光管の変形や破損を防止するとともに、液晶表示装置の表示輝度の低下や輝度ムラの発生を防止している。
【０００７】
【発明が解決しようとする課題】
しかしながら、上記従来の技術に記載した光源支持装置５０は、蛍光管の変形や破損の防止、及び液晶表示装置の表示輝度の低下や輝度斑の防止に効果的であるが、透明材料から形成されるとともに反射板５４を貫通して設けられているため、光源から照射される光が光源支持装置の材料内或いは反射板に設けた貫通孔を通り抜け、反射板の光源配置側とは相対する側に透過してしまうという問題が発生する。
【０００８】
【課題を解決するための手段】
そこで、上記の問題を解決するために本発明は、光源を支持する支持部と、係止部とを有し、前記係止部を被装着板に設けた貫通孔に装着することにより、前記支持部に支持された光源を前記被装着板に取り付ける光源支持装置であって、前記支持部を透明材にて形成するとともに、前記係止部を有色材にて形成したことを特徴とする光源支持装置とする。このように形成することにより、光源から発せられる光が被装着板の光源とは相対する側に透過することを防止することができる。
【０００９】
また、光源を支持する支持部と、係止部とを有し、前記係止部を被装着板に設けた貫通孔に装着することにより、前記支持部に支持された光源を前記被装着板に取り付ける光源支持装置であって、前記光源支持装置を透明に形成するとともに、前記光源から発せられる光が、前記貫通孔を介して前記被装着板の光源側とは相対する側へ透過することを防止する光透過防止手段を設けたことを特徴とする光源支持装置とする。このように形成することにより、光源から発せられる光が被装着板の光源とは相対する側に透過することを防止することができる。
【００１０】
このとき、複数色の部材を一体的に成型すると製造過程が複雑になる場合があるため、前記光透過防止手段を、前記係止部の光源配置側と相対する側の面に有色の皮膜を施したものとする。
【００１１】
同様に、前記光透過防止手段は、前記係止部のうち前記光源支持装置を前記被装着板に装着したときに前記被装着板から突出する部分を覆うカバー体からなるものとする。これらのように形成すると、光源支持装置の成型を単色で成型してもよいことから安価に製造可能である。
これは、光源を支持する支持部と、係止部とを有する光源支持装置であって、前記光源支持装置を透明で形成するとともに、前記係止部を被装着板に設けられた貫通孔に装着したときに前記係止部のうち前記被装着板より突出する部分に対して、有色の係止手段を被覆することにより、前記被装着板に装着されることを特徴とする光源支持装置としても同様である。
【００１２】
そして、前記係止部を、前記支持部によって支持される光源とは対向する位置に配置されるものとする。このように形成すると、有色の係止部が光源側からは見えないため目立たず、この光源支持装置を面状の均一な発光を要する照明装置に用いた場合には、有色の係止部に起因する輝度斑を防止することができる。
【００１３】
さらに、基体と、該基体の一側に設けられた光源を支持する支持部と、前記基体の他側に設けられた被係止部とを備え、かつ透明材料から形成された光源支持装置であって、被装着板に設けられた貫通孔を介して前記被係止部に係止手段を係止することにより、前記基体を前記被装着板に装着するとともに、前記光源からの光が前記貫通孔を透過するのを防止することを特徴とする光源支持装置とする。このように形成することにより、光源から発せられる光が被装着板の光源とは相対する側に透過することを防止することができる。
【００１４】
また、前記装着孔は、前記支持部によって支持される光源とは対向した位置に配置されるものとする。このように形成すると、有色の係止手段が光源側からは見えないため目立たず、この光源支持装置を面状の均一な発光を要する照明装置に用いた場合には、有色の係止部に起因する輝度斑を防止することができる。
【００１５】
そして、上記光源支持装置において、前記光源側に前記光源よりも突出する突起を一体に設けたことを特徴とする光源支持装置とする。このように形成すると、当該光源支持装置を、光源の反射板とは相対する側に拡散板等の光学部材を配置した場合に、光学部材の反り量を上記突起により規制することが可能である。
【００１６】
さらに、光源支持装置と、該光源支持装置の前記支持部にて支持される光源と、前記被装着板として前記光源から発せられる光を反射する反射板とを備える照明装置とする。
【００１７】
また、光源支持装置と、該光源支持装置の前記支持部にて支持される光源と、前記被装着板として前記光源から発せられる光を反射する反射板と、前記光源に対して前記反射板の配置された方向とは相対する方向に設けられ光源から発せられた光を拡散させ透過する拡散板と、前記光源支持装置に一体に備えられ前記拡散板に向かって突設された突起と、を備えたことを特徴とする照明装置とする。
【００１８】
そして、上記照明装置と、液晶パネルとを有することを特徴とする液晶表示装置とする。
【００１９】
【発明の実施の形態】
以下に、本発明の第１の実施形態について、図１と共に説明する。図１の（ａ）は本発明の第１の実施形態にかかる光源支持装置の断面図を示しており、（ｂ）は（ａ）の光源支持装置を反射板に取り付けるとともに該光源支持装置に光源を支持した場合の断面図を示している。
【００２０】
なお、各実施形態においては、光源として蛍光管を用い、被装着板として反射板を用いた場合を例にして説明する。
【００２１】
図１を参照して、光源支持装置１は、基体４に、円環状の蛍光管５を支持するための支持部２と、基体４の支持部２配置側とは相対する側に設けられた係止部３とが取り付けられた形状をしている。
【００２２】
支持部２は、透明材料から形成され、その断面が円弧の一部を切り欠いた形状に形成されており、切り欠いた個所に蛍光管５を嵌め込むことにより、蛍光管５を支持部２に固定できるようになっている。
【００２３】
さらに、係止部３は有色材料から形成されており、その基体４側は反射板６に設けられた貫通孔７より僅かに径が小さい首部３ａと、貫通孔７より径が大きい頭部３ｂが備えられるものである。そして、貫通孔７に係止部３を取り付けたときには、貫通孔７に首部３ａが嵌まり込み、頭部３ｂが反射板６の光源配置側と相対する側の面と当接することにより、光源支持装置１を反射板６から抜け落ちることを防止するものである。
【００２４】
また、基体４は、支持部２と同様に透明材料から形成されており、支持部２の台座としての役割を備えるものである。
【００２５】
以上のような構成で蛍光管５を光源支持装置１により反射板６に取付け点灯させると、蛍光管５から発せられた光は、反射板６よりも蛍光管５の配置側には放射されるが、反射板６の蛍光管５の配置側とは相対する側に対しては、係止部３が有色に形成されていることにより殆ど光が透過することがなく、上記従来例の課題を解決し得る。
【００２６】
しかしながら、図１のごとく、蛍光管５に対して反射板配置側とは相対する側から見たときに係止部３が蛍光管５の背後に隠れない配置であった場合には、有色の係止部の存在する部分のみが暗くなる。したがって、例えば液晶表示装置のバックライト装置のように均一な光を要する場合に、上記の光源支持装置１を用いると、部分的に暗い個所が生じてしまい良好な発光状態とはいえないものとなる虞がある。
【００２７】
そこで、この改良例を第２の実施形態として説明する。第２の実施の形態は図２に示すように形成するものである。
【００２８】
図２は、（ａ）は、本発明の第２の実施の形態にかかる光源支持装置の断面図を示しており、（ｂ）は（ａ）の光源支持装置を反射板に取り付けるとともに該光源支持装置に光源を支持した場合の断面図を示している。
【００２９】
説明の重複を避ける為、この第２の実施形態については第１の実施形態と異なる点のみを説明すると、第２の実施形態においては、係止部３が蛍光管５に対して反射板配置側とは相対する側から見たときに蛍光管５の背後に隠れる位置になるよう係止部３と支持部２とが形成されている点で第１の実施形態と相違する。すなわち、基体４を挟んで支持部２が支持する蛍光管５と係止部３とが対向する位置に配置するものとする。
【００３０】
このように形成すると、蛍光管５に対して反射板配置側とは相対する側から見たときには有色の係止部が目立たず、例えば液晶表示装置のバックライト装置のように均一な光を要する場合には、部分的に暗い個所が生じることを防止できる。
【００３１】
なお、本発明の実施の形態１及び実施の形態２にかかる図１及び図２にはいずれも、支持部２及び係止部３を複数備えた場合について記載しているが、必ずしも複数ある場合に限られるものではなく単数であっても良い。なお、これは以下に示す各実施形態についても同様である。また単数に形成する場合は、図３に示すように、基体４を廃止して支持部２に係止部３を直接取り付ける形態としても良い。
【００３２】
次に、第２の実施の形態を照明装置に適用した例について図４を用いて説明する。図４（ａ）は本発明の照明装置の略正面図を示しており、（ｂ）は（ａ）略断面図を示している。
【００３３】
図４において、照明装置１５は、図示しない駆動装置に接続された複数の蛍光管５を第２の実施形態に示した光源支持装置によって反射板６に取り付けたものである。該反射板６は、複数の蛍光管５と対向して配置されると共に、他の部材に照明装置１５を固定するための枠２１が取り付けられた形状をしており、例えばアルミニウム板材の表面に高反射率の塗装を施したものや、アルミニウムの板材の表面に高反射率のシートを施したものが具体例として挙げられる。
【００３４】
上記のように構成して、駆動装置により蛍光管５を点灯すると、蛍光管５から発せられた光は係止部３が有色に形成されていることにより、反射板６の蛍光管５配置側とは相対する方向（図４（ｂ）では矢印Ｃの方向）に光が透過することがなく、更には、蛍光管５の係止部３とは相対する側（つまり、図４（ｂ）では矢印Ｂの方向）から蛍光管５を見た際に係止部３が蛍光管５に隠れることになる。従って、有色に成型された部分が蛍光管５の背後にあることから反射率の低い暗い点が無く、照明装置として斑の少ない均一な発光のものを提供することが可能である。
【００３５】
なお、上記の第１の実施の形態及び第２の実施の形態にいう、係止部３と基体４との色分けの境界は必ずしも明確でなくても良く、更には図５に示すように基体４の一部が係止部３と同様に有色であっても良い。また、このときであっても、有色に成型された部分が、蛍光管５の係止部３とは相対する側から蛍光管５を見た際に蛍光管５に隠れるよう、基体４に対して蛍光管５と有色に成型された部分とを対向させ配置すると、上記と同様に斑の少ない均一な発光とすることができる。
【００３６】
以上には、光源支持装置を複数色を一体に成型した場合の例について記載したが、同様の効果を有する構成は一体的に成型した場合に限られるものではない。
【００３７】
次に、複数色を一体的に成型しない場合の実施形態について第３、第４及び第５の実施形態を用いて説明する。
【００３８】
第３の実施形態は図６に示すように構成されるものである。図６の（ａ）は本発明の第３の実施の形態にかかる光源支持装置の断面図を示しており、（ｂ）は（ａ）の光源支持装置を反射板に取り付けるとともに該光源支持装置に光源を支持した場合の断面図を示している。
【００３９】
説明の重複を避ける為、この第３の実施形態については第２の実施形態と異なる点のみを説明すると、その相違点とは、第２の実施形態では係止部３を有色にて成型したが、第３の実施形態では係止部３を支持部２及び基体４と同様に透明に形成し、該透明に成型した係止部３の蛍光管５の配置側とは相対する側の面に有色の皮膜１３を施した点である。なお、この皮膜１３は具体的には、有色の材料による塗装、メッキ、有色テープ類の貼付等の手段により形成することができる。
【００４０】
また、図７の（ａ）は本発明の第４の実施の形態にかかる光源支持装置の断面図を示しており、（ｂ）は（ａ）の光源支持装置を反射板に取り付けるとともに該光源支持装置に光源を支持した場合の断面図を示している。
【００４１】
説明の重複を避ける為、この第４の実施形態についても第２の実施形態と異なる点のみを説明すると、その相違点とは、第２の実施形態では係止部３を有色にて成型したが、第４の実施形態では係止部３を支持部２及び基体４と同様に透明に形成するとともに係止部３を反射板６に設けた貫通孔７より小さい外径を備えた螺子部１４を形成し、反射板６の貫通孔７に係止部３を挿通させた後、少なくとも貫通孔７の外周より大きい形状に形成された有色のカバー体１６を螺合することにより光源支持装置２を反射板６に取り付けている点である。
【００４２】
カバー体１６の具体例としては、有色に成型された樹脂材料や金属材料によって形成することができる。
【００４３】
また、図８の（ａ）は本発明の第５の実施の形態にかかる光源支持装置の断面図を示しており、（ｂ）は（ａ）の光源支持装置を反射板に取り付けるとともに該光源支持装置に光源を支持した場合の断面図を示している。
【００４４】
説明の重複を避ける為、この第５の実施形態についても第２の実施形態と異なる点のみを説明すると、その相違点とは、第２の実施形態では係止部３を有色にて成型したが、第５の実施形態では係止部３を廃止するとともに、第２の実施形態であれば基体４の係止部３が取り付けられていた位置に被係止部１７を設け、反射板６の貫通孔７に有色の係止手段１８を挿通させた後、係止手段１８を被係止部１７に係止させるものである。
【００４５】
上記被係止部１７及び係止手段１８の具体例としては、被係止部１７を螺子孔、係止手段１８を有色（金属でも樹脂でも良い）の螺子とした場合が挙げられるが、この例に限られるものではない。
【００４６】
以上のように、第３、第４及び第５の実施形態のように形成しても、第２の実施形態と同様に、反射板６の蛍光管５の配置側とは相対する側に光が透過することを防止できるとともに、例えば液晶表示装置のバックライト装置のように均一な光を要する場合に、部分的に暗い個所が生じることを防止できる。従って、上記に説明した第２の実施形態を照明装置に適用した例に、第３、第４及び第５の実施形態を適用しても、照明装置として斑の少ない均一な発光のものを提供することが可能である。また、複数色を一体に形成しないため製造容易である。
【００４７】
なお、第３、第４及び第５の実施形態については、第２の実施形態の一部に変更を加えた例について示したが、同様の変更を第１の実施形態に適用することもできる。この場合も、第１の実施形態と同様に反射板６の蛍光管５の配置側とは相対する側に光が透過することを防止できる。
【００４８】
以上に説明した、第１から第５の実施形態には更なる改良を加えることが可能である。すなわち、例えば液晶表示装置のバックライト装置のように均一な光を要する照明装置では、蛍光管５の反射板６とは相対する側に、蛍光管５から発せられた光を面状の均一な発光とすべく光を拡散させる拡散板７（図１０参照）を配置する場合があるが、この拡散板７は、蛍光管５の熱や湿気の影響を受けて反る場合がある。この反り幅が大きいと、拡散板７の機能である光を拡散する効果が減殺され、面状の均一な発光状態でなくなるという問題がおきる。
【００４９】
そこで、拡散板７の反りを防止する手段が必要となるが、この反りを防止する手段を第１から第５の実施形態に一体的に設けることにより、部品点数を増加させることなく拡散板７の反りを防止できる。
【００５０】
この場合の実施形態として、第２の実施形態を改良した例を第６の実施形態として図９と共に説明する。図９の（ａ）は本発明の第６の実施の形態にかかる光源支持装置の断面図を示しており、（ｂ）は（ａ）の光源支持装置を反射板に取り付けるとともに該光源支持装置に光源を支持した場合の断面図を示している。
【００５１】
説明の重複を避ける為、この第６の実施形態については第２の実施形態に加えた改良点のみを説明すると、拡散板７の反りを防止する手段として、基体４の支持部２配置側の面から、支持部２により保持される蛍光管５の基体４とは最も相対する側より突出した略円錐状の突起８を形成している点である。
【００５２】
この光源支持装置を照明装置１５に用いた場合には図１０のように形成される。図１０は、照明装置１５の断面図を示している。
【００５３】
図１０については、図４に示した第２の実施形態を照明装置１５に適用した例と相違する点を述べると、その相違点は、第２の実施形態に代えて第６の実施形態を適用した点、及び蛍光管５と対向する反射板６の配置側とは相対する側に光を拡散する拡散板７を設けた点である。
【００５４】
以上のように照明装置１５を形成することにより、反射板６の蛍光管５側とは相対する側に光が透過することがなく、かつ拡散板７が蛍光管５側に反っても突起８によってその反りが規制される照明装置を安価に形成することができる。
【００５５】
さらに、この照明装置１５を液晶表示装置２０に用いた例を図１１に示す。図１１は、図１０に記載した照明装置に加えて、拡散板７の反射板６配置側とは相対する側に設けた液晶パネル１０と、液晶パネル１０の駆動装置（図示なし）と、液晶パネル１０と拡散板７との間に配置した光学シート９とを枠体１１に保持させたものである。
【００５６】
なお、上記の光学シート９、液晶パネル１０、枠体１１については周知の技術を適宜組合せて適用できるものであるため、特に説明をしない。
【００５７】
以上のように形成することにより、反射板６の蛍光管５側とは相対する側に光が透過するという問題がないのみならず、液晶パネル１０の表示には有色の係止部３が原因となる輝度斑が発生せず、かつ、拡散板７の反りを原因とする輝度斑が発生することがないため、長時間、輝度斑のない良好な発光状態の液晶表示装置２０を提供することができる。
【００５８】
以上の説明では、光源として蛍光管５を用いた場合について説明したが、例えばＬＥＤ等の他の光源を用いた場合でも、上記の光源支持装置は同様の効果を発揮できる。また、各実施形態に記載した光源支持装置はいずれも照明装置及び液晶表示装置に適用できるものであることはいうまでもない。
【００５９】
そして、支持部２の例については、支持部２は、透明材料から形成され、その断面が円弧の一部を切り欠いた形状についてのみ説明をしているが、光源の形状に合わせて適宜変更を加えることが可能であることは明らかである。また、その他の構成についてもこの例に限らず設計に応じて適宜変更を加え得ることは勿論である。
【００６０】
【発明の効果】
以上説明した通り、本発明によれば、光源から発せられる光が被装着板の光源とは相対する側に透過することを防止することができる。
【００６１】
そして、前記係止部は、前記支持部によって支持される光源とは対向した位置に配置されるものとする。このように構成によると、前記光源を被装着板とは相対する側から見た場合に、光源の背後に係止部が配置されることになるため、例えば係止部を有色に形成した場合であっても係止部が目立つことがない。
【００６２】
また、基体と、該基体の一側に設けられた光源を支持する支持部と、前記基体の他側に設けられた被係止部とを備え、かつ透明材料から形成された光源支持装置であって、前記被係止部に、被装着板に設けられた貫通孔を介して有色の係止手段を装着することにより、前記被装着板に前記基体を係止する光源支持装置とすると、光源支持装置を複数色に成型せずともよく、さらには係止部を予め基体に一体に形成しないため容易に光源支持装置を形成することが可能である。
【００６３】
さらに、この場合においても、前記被係止部は、前記支持部によって支持される光源とは対向した位置に配置されるものとすると、前記光源を被装着板とは相対する側から見た場合に、光源の背後に係止部が配置されることになるため、例えば係止部を有色に形成した場合であっても係止部が目立つことがない。
【００６４】
そして、光源支持装置と、前記光源側に前記光源よりも突出する突起を一体に設けたことを特徴とする光源支持装置とする。この構成によれば、光源に対して前記係止部とは相対する側に配置される部材が光源側に反るような場合であっても、突起によりその反り量を規制することが可能である。
【００６５】
さらに、光源支持装置と、該光源支持装置の前記支持部にて支持される光源と、前記被装着板として前記光源から発せられる光を反射する反射板とを備えた照明装置とする。この構成によれば、光源に対して反射板配置側とは相対する側から照明装置を見たときに、反射板の背後より光が漏洩することがない。
【００６６】
また、光源支持装置と、該光源支持装置の前記支持部にて支持される光源と、前記被装着板として前記光源から発せられる光を反射する反射板と、前記光源に対して前記反射板の配置された方向とは相対する方向に設けられ光源から発せられた光を拡散させ透過する拡散板と、前記光源支持装置に一体に備えられ前記拡散板に向かって突設された突起と、を備えた照明装置とする。この構成によれば、拡散板が反った場合でもその反り量を規制して、均一な面状の発光が可能な照明装置を提供することができる。
【００６７】
さらにまた、上記の照明装置と、前記拡散板の光源配置側とは相対する側に設けられた液晶パネルとを有することを特徴とする液晶表示装置とする。この構成によれば、反射板の光源配置側とは相対する側に光を透過することがないのみならず、拡散板の反りを原因とする輝度斑が発生することがないため、液晶表示装置の表示面から発せられる輝度を均一にすることができる。
【図面の簡単な説明】
【図１】（ａ）は、本発明の第１の実施の形態にかかる光源支持装置の断面図。
（ｂ）は、（ａ）の光源支持装置を反射板に取り付けるとともに該光源支持装置に光源を支持した場合の断面図。
【図２】（ａ）は、本発明の第２の実施の形態にかかる光源支持装置の断面図。
（ｂ）は、（ａ）の光源支持装置を反射板に取り付けるとともに該光源支持装置に光源を支持した場合の断面図。
【図３】第２の実施形態の支持部及び係止部を単数にした場合の断面図。
【図４】（ａ）は本発明の照明装置の略正面図。
（ｂ）は（ａ）略断面図。
【図５】第２の実施形態の変形態様を示す断面図。
【図６】（ａ）は本発明の第３の実施の形態にかかる光源支持装置の断面図。
（ｂ）は（ａ）の光源支持装置を反射板に取り付けるとともに該光源支持装置に光源を支持した場合の断面図。
【図７】（ａ）は本発明の第４の実施の形態にかかる光源支持装置の断面図。
（ｂ）は（ａ）の光源支持装置を反射板に取り付けるとともに該光源支持装置に光源を支持した場合の断面図。
【図８】（ａ）は本発明の第５の実施の形態にかかる光源支持装置の断面図。
（ｂ）は（ａ）の光源支持装置を反射板に取り付けるとともに該光源支持装置に光源を支持した場合の断面図。
【図９】（ａ）は本発明の第６の実施の形態にかかる光源支持装置の断面図。
（ｂ）は（ａ）の光源支持装置を反射板に取り付けるとともに該光源支持装置に光源を支持した場合の断面図。
【図１０】第６の実施形態を照明装置に用いた場合の断面図。
【図１１】本発明の第６の実施形態を液晶表示装置に用いた場合の断面図。
【図１２】従来技術にかかる光源支持装置の装着図。
【符号の説明】
１  光源支持装置
２  支持部
３  係止部
４  基体
５  光源（蛍光管）
６  被装着板（反射板）
７  拡散板
８  突起
９  光学シート
１０  液晶パネル
１５  照明装置
２０  液晶表示装置
【図１】
0003616612.tif 000002
【図２】
0003616612.tif 000003
【図３】
0003616612.tif 000004
【図４】
0003616612.tif 000005
【図５】
0003616612.tif 000006
【図６】
0003616612.tif 000007
【図７】
0003616612.tif 000008
【図８】
0003616612.tif 000009
【図９】
0003616612.tif 000010
【図１０】
0003616612.tif 000011
【図１１】
0003616612.tif 000012
【図１２】
0003616612.tif 000013